(57)【要約】      （修正有）【課題】組立が容易かつ安定で外観にも優れた組立式棺桶を提供する。【解決手段】矩形の底板１と、底板の左右長辺側に向き合って設けられる基礎側板と、底板の前後短辺側に向き合って設けられる基礎妻板３、４と、基礎側板に対して折り畳み可能に連結される左右一対の可倒側板５、６と、基礎側板及び起立させた状態の可倒側板との間に差し込まれる前後一対の差込妻板とを備え、可倒側板の両端部内面に係合手段５１、６１が、差込妻板の両端面に被係合手段が、対向して設けられると共に、係合可能に形成され、係合手段及び被係合手段には抜け止め手段８が形成される。差込妻板の抜止防止のための別作業を必要とせず、差込妻板の固定を容易かつ確実とすることができる。【選択図】図３
0003226656.tif 000002
【実用新案登録請求の範囲】
【請求項１】
矩形の底板と、
この底板の左右長辺側に向き合って設けられる基礎側板と、
前記底板の前後短辺側に向き合って設けられる基礎妻板と、
前記基礎側板に対して折り畳み可能に連結される左右一対の可倒側板と、
前記基礎側板及び起立させた状態の前記可倒側板との間に差し込まれる前後一対の差込妻板とを備え、
前記可倒側板の両端部内面に係合手段が、前記差込妻板の両端面に被係合手段が、対向して設けられると共に、係合可能に形成され、係合手段及び被係合手段には抜け止め手段が形成されてなることを特徴とする組立式棺桶。
【請求項２】
前記可倒側板の内面は前記基礎側板の内面と面一になるように配置され、
前記可倒側板の外面は前記基礎側板の外面より外側になるように形成され、
前記可倒側板の下端部には、前記基礎側板の外面に覆い重なるように下方に伸びる基礎側板外側遮蔽部が形成され、
前記可倒側板の両端部には、それぞれ前記基礎側板の端部及び前記基礎妻板の端部に覆い重なるように平面視Ｌ型に形成された基礎側板端部遮蔽部が形成され、
起立させた状態の左右の前記可倒側板の間に前記差込妻板を最奥まで係合した状態において、
前記差込妻板の上面は前記可倒側板の上面と面一になるように形成され、
前記差込妻板の内面は前記基礎妻板の内面と面一になるように配置され、
前記差込妻板の外面は前記基礎妻板の外面より外側になるように形成され、
前記差込妻板の下端部には、前記基礎妻板の外面に覆い重なるように下方に伸びる基礎妻板遮蔽部が形成されてなることを特徴とする請求項１に記載の組立式棺桶。
【請求項３】
前記係合手段に係合突状片を備えると共に、前記被係合手段には係合溝を備え、
前記係合溝は前記係合突状片が嵌合する断面形状に形成されており、
前記係合突状片は前記係合溝の下端からスライドして嵌合することで係合することを特徴とする請求項２に記載の組立式棺桶。
【請求項４】
前記係合手段には抜止部材を備えると共に、前記被係合手段には抜止受部材を備え、前記抜止部材と前記抜止受部材の対向する面が、それぞれ摺接面とされ、
前記抜止部材は、前記抜止受部材との摺接面を前面とし、前記可倒側板に取り付ける取付面を後面とし、
前記抜止部材と前記抜止受部材とは、互いの摺接面で接し、
前記抜止部材には、少なくともひとつの舌片が形成されており、
前記舌片は、摺接面から前記抜止受部材に向けて、斜め下方に延出しており、
舌片表面は、平滑な傾斜面に形成され、
舌片裏面は、前記舌片表面とほぼ平行な傾斜面に形成され、
前記舌片裏面の後方には、舌片収納部が形成され、
前記抜止受部材は、前記抜止部材との摺接面を前面とし、前記差込妻板の溝に取り付ける取付面を後面とし、
前記抜止受部材には、前面側に開口する少なくともひとつの抜止凹部が形成され、
前記抜止凹部の下に位置する案内部の前面が摺接面に形成され、
前記案内部は、前面の摺接面の上端から上向き傾斜面が形成され、前記上向き傾斜面の上端から後方に向けて水平に平坦面が形成され、
前記抜止凹部は、前記舌片が起立した状態で、十分に入り込み得る大きさの空間に形成され、
前記抜止受部材の摺接面が、前記抜止部材の摺接面に摺接しながら下方に下がるとき、前記舌片が押し下げられ、
前記舌片の先端が前記抜止受部材の摺接面の上端に達するとき、前記舌片が前記上向き傾斜面を滑りながら起立可能とされ、
前記舌片の先端が前記上向き傾斜面の上端に位置するとき、前記舌片が上端を超えて、前記平坦面に沿って後方に入り込み可能とされてなることを特徴とする請求項３に記載の組立式棺桶。
【考案の詳細な説明】
【技術分野】
【０００１】
この考案は、組立式棺桶に関するもので、詳しくは、組立に別途部品や工具を必要とせず、また、棺の外観に折り畳みによる継ぎ目が露出しない、組立が容易かつ安定で外観にも優れた組立式棺桶に関する。
【背景技術】
【０００２】
従来、折り畳み可能な1対の可倒側板を立ち上げて差込妻板で支持することにより箱型の棺本体を組み立てるようにした組立式棺桶が知られている（特許文献１）。
【先行技術文献】
【特許文献】
【０００３】
【特許文献１】実用新案登録第３０３１０３９号公報
【考案の概要】
【考案が解決しようとする課題】
【０００４】
上記従来技術の組立式棺桶では、棺桶を組み立てた場合に、基礎側板と可倒側板の継目が外部に露出してしまい、側板が２枚の板を継ぎ合わせたものであることが一見して分かるため、見栄えが悪く安価な棺桶の印象を与えてしまう。また基礎妻板と差込妻板に関しても継ぎ目が外部に露出してしまうので、さらに見栄えが悪い。また、差込妻板が抜けて外れることを防ぐためにダボを用いて固定しているため、ハンマーや当て木等を用いてダボをはめ込む手間を要する。本考案の目的は、組み立てた状態において、上記従来技術の組立式棺桶では露出する継ぎ目等を隠し、さらに差込妻板の固定を容易かつ安定にした組立式棺桶を提供することにある。
【課題を解決するための手段】
【０００５】
そこで、上記課題を解決するための手段として本考案に係る組立式棺桶は、  矩形の底板と、この底板の左右長辺側に向き合って設けられる基礎側板と、前記底板の前後短辺側に向き合って設けられる基礎妻板と、前記基礎側板に対して折り畳み可能に連結される左右一対の可倒側板と、前記基礎側板及び起立させた状態の前記可倒側板との間に差し込まれる前後一対の差込妻板とを備え、前記可倒側板の両端部内面に係合手段が、前記差込妻板の両端面に被係合手段が、対向して設けられると共に、係合可能に形成され、係合手段及び被係合手段には抜け止め手段が形成されてなることを特徴とする。
【０００６】
また、前記可倒側板の内面は前記基礎側板の内面と面一になるように配置され、前記可倒側板の外面は前記基礎側板の外面より外側になるように形成され、前記可倒側板の下端部には、前記基礎側板の外面に覆い重なるように下方に伸びる基礎側板外側遮蔽部が形成され、前記可倒側板の両端部には、それぞれ前記基礎側板の端部及び前記基礎妻板の端部に覆い重なるように平面視Ｌ型に形成された基礎側板端部遮蔽部が形成され、起立させた状態の左右の前記可倒側板の間に前記差込妻板を最奥まで係合した状態において、前記差込妻板の上面は前記可倒側板の上面と面一になるように形成され、前記差込妻板の内面は前記基礎妻板の内面と面一になるように配置され、前記差込妻板の外面は前記基礎妻板の外面より外側になるように形成され、前記差込妻板の下端部には、前記基礎妻板の外面に覆い重なるように下方に伸びる基礎妻板遮蔽部が形成されてなることとしても好ましい。
【０００７】
また、前記係合手段に係合突状片を備えると共に、前記被係合手段には係合溝を備え、前記係合溝は前記係合突状片が嵌合する断面形状に形成されており、前記係合突状片は前記係合溝の下端からスライドして嵌合することで係合することとしても好ましい。
【０００８】
また、前記係合手段には抜止部材を備えると共に、前記被係合手段には抜止受部材を備え、前記抜止部材と前記抜止受部材の対向する面が、それぞれ摺接面とされ、前記抜止部材は、前記抜止受部材との摺接面を前面とし、前記可倒側板に取り付ける取付面を後面とし、前記抜止部材と前記抜止受部材とは、互いの摺接面で接し、前記抜止部材には、少なくともひとつの舌片が形成されており、前記舌片は、摺接面から前記抜止受部材に向けて、斜め下方に延出しており、舌片表面は、平滑な傾斜面に形成され、舌片裏面は、前記舌片表面とほぼ平行な傾斜面に形成され、前記舌片裏面の後方には、舌片収納部が形成され、前記抜止受部材は、前記抜止部材との摺接面を前面とし、前記差込妻板の溝に取り付ける取付面を後面とし、前記抜止受部材には、前面側に開口する少なくともひとつの抜止凹部が形成され、前記抜止凹部の下に位置する案内部の前面が摺接面に形成され、前記案内部は、前面の摺接面の上端から上向き傾斜面が形成され、前記上向き傾斜面の上端から後方に向けて水平に平坦面が形成され、前記抜止凹部は、前記舌片が起立した状態で、十分に入り込み得る大きさの空間に形成され、前記抜止受部材の摺接面が、前記抜止部材の摺接面に摺接しながら下方に下がるとき、前記舌片が押し下げられ、前記舌片の先端が前記抜止受部材の摺接面の上端に達するとき、前記舌片が前記上向き傾斜面を滑りながら起立可能とされ、前記舌片の先端が前記上向き傾斜面の上端に位置するとき、前記舌片が上端を超えて、前記平坦面に沿って後方に入り込み可能とされてなることとしても好ましい。
【考案の効果】
【０００９】
本考案では、組み立てた状態の棺桶においては、可倒側板の基礎側板外側遮蔽部及び基礎側板端部遮蔽部が、基礎側板と可倒側板の継目を覆い隠すので、棺桶の側面は全体として１枚の板のように見える。差込妻板も基礎妻板遮蔽部を有しており、基礎妻板遮蔽部が基礎妻板と差込妻板の継目を覆い隠すので、妻板も全体として１枚の板のように見えるため、全体として非常に見栄えが良く高級感のある棺桶となる。
【００１０】
また、起立した1対の可倒側板の間に差込妻板を嵌合するように挿入する際に、挿入する動作に応じて抜止部材と抜止受部材が係合する。したがって、本考案では、差込妻板の抜止防止のための別作業を必要とせず、差込妻板の固定を容易かつ確実にした組立式棺桶を提供する。
【図面の簡単な説明】
【００１１】
【図１】本考案の棺桶を組み立てた状態を示す分解斜視図である。
【図２】本考案の棺桶の可倒側板５、６を起立させた状態を示す部分斜視図である。
【図３】本考案の棺桶の可倒側板５、６を起立させた状態で1対の係合突状片５１、６１の中央を鉛直に切った断面図である。
【図４】、本考案の棺桶の可倒側板５、６を折り畳んだ状態で1対の係合突状片５１、６１の中央を鉛直に切った断面図である。
【図５】可倒側板５、６を取り外した状態を示す斜視図である。
【図６】差込妻板７を示す斜視図である。
【図７】抜止部材８と抜止受部材９が係合した状態を示す正面図である。
【図８】可倒側板５（６）に設置された抜止部材８を示す部分断面図である。
【図９】差込妻板７に設置された抜止受部材９を示す部分断面図である。
【図１０】抜止部材８を示す正面図である。
【図１１】抜止受部材９を示す正面図である。
【図１２】抜止部材８の右側面図である。
【図１３】抜止部材８の左側面図である。
【図１４】抜止部材８の平面図である。
【図１５】抜止部材８を底面図である。
【図１６】抜止受部材９の右側面図である。
【図１７】抜止受部材９の左側面図である。
【図１８】抜止受部材９の平面図である。
【図１９】抜止受部材９を底面図である。
【図２０】抜止部材８と抜止受部材９がしだいに係合する３段階の状態を示す部分断面図である。
【考案を実施するための形態】
【００１２】
以下、本考案の実施形態を図面に基づいて説明する。実施形態として説明する組立式棺桶は、本考案の一例にすぎず、考案の範囲がこれらの実施形態に限定されるものではない。
【００１３】
図１及び図２は、棺桶Ａを組み立てた状態を示す図である。棺桶Ａは、底板１、可倒側板５、６、差込妻板７、７及び蓋bによって構成されてなる。
【００１４】
図３〜図５に示すように、長方形に形成された底板１の短辺１０１に沿う両端縁部１１、１１の上面１１１、１１２には、基礎妻板２、２が固定されている。底板１の長辺１０２に沿う両端縁部１３、１４の上面１３１、１４１には、基礎妻板２、２の間に基礎側板３、４が固定されている。
【００１５】
基礎側板３上には可倒側板５が、基礎側板４上には可倒側板６が、それぞれの内面が面一になるように配置され、可倒側板５は基礎側板３に対して、可倒側板６は基礎側板４に対して、それぞれ内側に折り畳むことが可能な蝶番ヒンジ１０、１０を用いて連結されている。起立させた状態の可倒側板５と６の間には、後記の係合手段によって差込妻板７が係合される。
【００１６】
図３〜図５に示すように、可倒側板５、６を内側に折り畳んだときに、可倒側板５の上に可倒側板６が重なるように形成されている。これにより、収納時に小容量となる。基礎側板３の高さ３１は、基礎妻板２の高さ２１に後記の係合突状片５１の可倒側板５の内面５０４からの高さ５１２を加算した高さに等しくなるように形成され、基礎側板４の高さ４１は、基礎側板３の高さ３１に可倒側板５の厚さ５５と後記の係合突状片６１の可倒側板６の内面６０４からの高さ６１２を加算した高さに等しくなるように形成されるのが好ましく、このようにすることにより、可倒側板５、６がそれぞれほぼ水平になり、収納・運搬時の利便性が増す。
【００１７】
図６に示すように、差込妻板７の左右の両端面７０３、７０４には、係合溝７１が上端部７２を残すように下向きに開口して形成されている。上端部７２を残すことにより差込妻板７の上面７０５に係合溝７１が露出しないようにすることができる。図３に示すように、可倒側板５、６の端部内面５０１、６０１には、上下方向に長い係合突状片５１、６１が形成されており、この係合突状片５１、６１は、係合溝７１、７１に対応して位置し、それぞれ係合溝７１、７１に係合する。
【００１８】
本考案の組立式棺桶の遮蔽部分の構造について説明する。図２〜図６に示すように、可倒側板５の内面５０４は基礎側板３の内面３０４と面一になるように配置され、可倒側板５の外面５０６は基礎側板３の外面３０１より外側になるように形成されており、可倒側板５の下端部５０３には、基礎側板外側遮蔽部５２が形成されている。基礎側板外側遮蔽部５２は、基礎側板３の外面３０１に覆い重なるように下方に伸びている。また可倒側板５の端部５０２、５０２には、基礎側板３の端部３０２及び基礎妻板２の端部２０２に覆い重なるように平面視Ｌ型に形成された基礎側板端部遮蔽部５３、５３が形成されている。基礎側板４と可倒側板６との関係も同様であり、対応する基礎側板外側遮蔽部６２及び基礎側板端部遮蔽部６３、６３が形成されている。
【００１９】
起立させた状態の可倒側板５と可倒側板６の間に差込妻板７を完全に係合した状態において、差込妻板７の上面７０５は可倒側板５と６の上面５０５、６０５と等しくなり、差込妻板７の内面７０２は基礎妻板２の内面２０５と面一になるように配置され、差込妻板７の外面７０１は基礎妻板２の外面２０１より外側になるように形成されており、差込妻板７の下端部には、基礎妻板遮蔽部７３が形成されている。基礎妻板遮蔽部７３は、基礎妻板２の外面２０１に覆い重なるように下方に伸びている。
【００２０】
本考案の抜け止め手段Ｃについて説明する。図１０、図１１に示すように、抜け止め手段Ｃは抜止部材８と抜止受部材９から構成され、抜止部材８は弾性素材でできている。
【００２１】
本実施例では、抜止部材８には２つの舌片８１、８２、抜止受部材９には２つの抜止凹部９１，９２を採用した。これは、1つの舌片と1つの抜止凹部の組み合わせよりも、より頑強な抜止手段となるからである。
【００２２】
図８に示すように、抜止部材８は、係合突状片５１（６１）の下端５１１、６１１に連続して配置されている。図９に示すように、抜止受部材９は、係合突状片係合溝７１の下端７１１に連続して配置されている。抜止部材８と抜止受部材９とは、互いの摺接面８６、９６で接する。
【００２３】
抜止部材８は、抜止受部材９との摺接面８６を前面とし、可倒側板に取り付ける取付面８７を後面とする。抜止部材８には、２つの舌片８１、８２が形成されている。舌片８１は、抜止部材８の上に位置し、舌片８２は、抜止部材８の下に位置する。舌片８１の上方に上部摺接面８６１が形成されている。舌片８１は、上部摺接面８６１から抜止受部材９に向けて、斜め下方に延出している。舌片８１の舌片表面８１１は、平滑な傾斜面に形成されている。舌片８１の舌片先端８１３は、円弧面に形成されている。舌片８１の舌片裏面８１２は、舌片表面８１１とほぼ平行な傾斜面に形成されている。舌片８１の裏面後方には、舌片８１の厚みにほぼ等しいかやや大きい舌片収納部８３が形成されている。下の舌片８２及びその舌片収納部８４は、その設置位置が舌片８１及び舌片収納部８３のやや下方に位置している。舌片８２の上方には中央摺接面８６２が、舌片収納部８４の下方には下部摺接面８６３が形成され、上部摺接面８６１、中央摺接面８６２及び下部摺接面８６３によって摺接面８６を形成している。
【００２４】
抜止受部材９は、抜止部材８との摺接面９６を前面とし、差込妻板７の係合溝７１に取り付ける取付面９７を後面とする。抜止受部材９には、前面側に開口する上下２つの抜止凹部９１、９２が離隔して形成されている。抜止凹部９１より上方の上案内部９３の前面が上部摺接面９６１に形成されている。抜止凹部９１と抜止凹部９２の間の中央案内部９４の前面が中央摺接面９６２に形成されている。抜止凹部９２より下方の下案内部９５の前面が下部摺接面９６３に形成されている。上部摺接面９６１、中央摺接面９６２及び下部摺接面９６３によって摺接面９６を形成している。中央案内部９４は、前面の中央摺接面９６２の上端９４７から上向き傾斜面９４２が形成され、上向き傾斜面９４２の上端９４６から後方に向けて水平に平坦面９４１が形成されている。中央摺接面９６２の下端９４８から下向き傾斜面９４４が形成され、下向き傾斜面９４４の下端９４９から後方に向けて水平に平坦面９４５が形成されている。下案内部９５は、前面の下部摺接面９６３の上端９５７から上向き傾斜面９５２が形成され、上向き傾斜面９５２の上端９５６から後方に向けて水平に平坦面９５１が形成されている。上下の抜止凹部９１、９２は、舌片８１、８２が起立した状態で、十分に入り込み得る大きさの空間に形成されている。
【００２５】
起立した１対の可倒側板５、６の間に嵌合するように挿入された差込妻板７を下方に進めると、抜止部材８と抜止受部材９は以下のような変遷を経る（図２０）。
【００２６】
下部摺接面９６３が、抜止部材８の上部摺接面８６１に摺接しながら下方に下がると、舌片８１を押し下げながら進む。舌片８１の先端８１３が下部摺接面９６３の上端９５７に達すると、舌片８１が上向き傾斜面９５２を滑りながら起立し始める。舌片８１の先端８１３が上向き傾斜面９５２の上端９５６に達すると、舌片８１は上端９５６を超えて、平坦面９５１に沿って後方に入り込む。
【００２７】
次に、中央摺接面９６２が、抜止部材８の上部摺接面８６１に摺接しながら下方に下がると、舌片８１を押し下げながら進む。舌片８１の先端８１３が中央摺接面９６２の上端９４７に達すると、舌片８１が上向き傾斜面９４２を滑りながら起立し始める、舌片８１の先端８１３が上向き傾斜面９４２の上端９４６に達すると、舌片８１は上端９４６を超えて、平坦面９４１に沿って後方に入り込む。この際同時に、下部摺接面９６３が、抜止部材８の中央摺接面８６２に摺接しながら下方に下がり、さらには舌片８２は上端９５６を超えて、平坦面９５１に沿って後方に入り込む。
【００２８】
これにより、抜止受部材９が、抜止部材８に対して、上方向への移動が制限され、抜止受部材９が固定されている差込妻板７の上方への抜け止めが達成される。
【符号の説明】
【００２９】
１  底板
１０１  短辺
１０２  長辺
１１  両端縁部
１１１  上面
１２１  上面
１３  両端縁部
１３１  上面
１４  両端縁部
１４１  上面
２  基礎妻板
２０１  外面
２０２  端部
２０５  内面
２１  高さ
３  基礎側板
３０１  外面
３０２  端部
３０４  内面
３１  高さ
４  基礎側板
４１  高さ
５  可倒側板
５０１  端部内面
５０２  端部
５０３  下端部
５０４  内面
５０５  上面
５０６  外面
５１  係合突状片
５１１  下端部
５１２  高さ
５２  基礎側板外側遮蔽部
５３  基礎側板端部遮蔽部
５５  厚さ
６  可倒側板
６０１  端部内面
６０４  内面
６０５  上面
６１  係合突状片
６１１  下端部
６１２  高さ
６２  基礎側板外側遮蔽部
６３  基礎側板端部遮蔽部
７  差込妻板
７０１  外面
７０２  内面
７０３  端面
７０４  端面
７０５  上面
７１  係合溝
７１１  下端
７２  上端部
７３  基礎妻板遮蔽部
８  抜止部材
８１  舌片
８１１  舌片表面
８１２  舌片裏面
８１３  舌片先端
８２  舌片
８３  舌片収納部
８４  舌片収納部
８６１  上部摺接面
８７  取付面
９  抜止受部材
９１  抜止凹部
９２  抜止凹部
９３  上案内部
９４  中央案内部
９４１  平坦面
９４２  上向き傾斜面
９４４  下向き傾斜面
９４５  平坦面
９４６  上端
９４７  上端
９４８  下端
９４９  下端
９５  下案内部
９５１  平坦面
９５２  上向き傾斜面
９５６  上端
９５７  上端
９６１  上部摺接面
９６２  中央摺接面
９６３  下部摺接面
９７  取付面
１０  蝶番ヒンジ
【図１】
0003226656.tif 000003
【図２】
0003226656.tif 000004
【図３】
0003226656.tif 000005
【図４】
0003226656.tif 000006
【図５】
0003226656.tif 000007
【図６】
0003226656.tif 000008
【図７】
0003226656.tif 000009
【図８】
0003226656.tif 000010
【図９】
0003226656.tif 000011
【図１０】
0003226656.tif 000012
【図１１】
0003226656.tif 000013
【図１２】
0003226656.tif 000014
【図１３】
0003226656.tif 000015
【図１４】
0003226656.tif 000016
【図１５】
0003226656.tif 000017
【図１６】
0003226656.tif 000018
【図１７】
0003226656.tif 000019
【図１８】
0003226656.tif 000020
【図１９】
0003226656.tif 000021
【図２０】
0003226656.tif 000022